(57)【要約】【課題】開封帯を引っ張ることで、包装容器の外装を簡単に破断でき、力のない人でも簡単に包装容器を開封可能とし、急いで開封して力を入れすぎても、容器を破損したり、内容物を散乱するようなことなく、簡単に包装容器を開封可能とする開封帯による開封構造実現する。【解決手段】蓋３と容器本体２が樹脂フィルムから成る外装４で被着されて包装された包装容器１を開封帯９で開封する開封構造であり、外装４は、容器本体２に被着された始端部６と終端部７が重なり合っており、開封帯９は、外装４の内面に接着又は熱融着され、外装４の終端部７の終端縁１２から延び出て開封摘み１３を構成しており、外装４の終端部７から延び出す開封帯９を挟むように両側方の位置において外装４の終端部７には切り込み１４が形成されている。【選択図】図１
0003137280.tif 000002
【実用新案登録請求の範囲】
【請求項１】
蓋と容器本体が樹脂フィルムから成る外装で被着された包装容器を開封帯で開封する開封構造であって、
前記外装は、容器本体に被着された始端部と終端部が重なり合っており、
前記開封帯は、前記外装の内面に接着又は熱融着され、前記外装の終端部の終端縁から延び出て開封摘みを構成しており、
外装の終端部から延び出す前記開封帯を挟むように両側方の位置において前記外装の終端部には終端縁から切り込みが形成されていることを特徴とする包装容器の開封構造。
【請求項２】
前記切り込みは、直線溝、三角溝、Ｖ溝、Ｕ溝、２つの湾曲の交差溝、又はハット形溝の形状をしていることを特徴とする請求項１記載の包装容器の開封構造。
【考案の詳細な説明】
【技術分野】
【０００１】
本考案は、即席麺、弁当等の容器を包装する外装を、開封摘み付き開封帯で開封可能とする包装容器の開封構造に関する。
【背景技術】
【０００２】
デパート地下食品店、スーパーマーケット、コンビニエンスストア等の量販店で販売されている弁当容器、即席ラーメン、菓子等の容器は、プラスチック製、紙製、紙とプラスチックのハイブリッドタイプ、ポリプロ製等がある。
【０００３】
カップ麺容器（即席ラーメンの容器）等では、蓋と容器本体によるシールは接着剤による接着又は熱融着により密閉する構造であり、さらにその外側から樹脂フィルム材で形成された外装で覆い、加熱してシュリンク包装で密閉する二重構造となっている（特許文献１、２参照）。
【特許文献１】特開２００１−１０６６３号公報
【特許文献２】実開平５−１０２７１号公報
【考案の開示】
【考案が解決しようとする課題】
【０００４】
カップ麺容器等、樹脂フィルムの外装で二重に包装されている容器の場合は、その外装を外すときに、シュリンク包装において熱融着されており、その剥がし口がなく、強い力で引っ張らなくてはならず、非力な人たちには開封が困難な場合が多かった。
【０００５】
また、無理に引っ張って、容器本体まで破るようなことがあり、無駄な労力を必要としていた。特に、非力な人たちや時間がなくて急いでいるビジネスマンなどは、開封の際に中身を周囲に散乱させ、無駄にするようなこともあった。
【０００６】
本考案は、蓋を付けた容器に被着されて包装し、剥がし用摘み付き開封帯を利用して、強い力が必要なく、簡単に開封可能とする包装容器の開封構造を実現することを課題とする。
【課題を解決するための手段】
【０００７】
本考案は上記課題を解決するために、蓋と容器本体が樹脂フィルムから成る外装で被着された包装容器を開封帯で開封する開封構造であって、前記外装は、容器本体に被着された始端部と終端部が重なり合っており、前記開封帯は、前記外装の内面に接着又は熱融着され、前記外装の終端部の終端縁から延び出て開封摘みを構成しており、外装の終端部から延び出す前記開封帯を挟むように両側方の位置において前記外装の終端部には終端縁から切り込みが形成されていることを特徴とする包装容器の開封構造を提供する。
【０００８】
前記切り込みは、直線溝、三角溝、Ｖ溝、Ｕ溝、２つの湾曲の交差溝、又はハット形溝の形状をしている。
【考案の効果】
【０００９】
本考案によれば、外装が被着されて包装された包装容器を開封する際、その開封帯を引っ張ることで、外装を簡単に破断でき、力のない人にも簡単に包装容器を開封することができる。また、非力な人や急いでいるビジネスマンなどにも、包装容器の開封に際して、開封に力を入れすぎて容器を破損したり、内容物を散乱するようなことなく、簡単に包装容器を開封することが可能となる。
【考案を実施するための最良の形態】
【００１０】
本考案に係る包装容器の開封構造を実施するための最良の形態を、実施例に基づいて図面を参照して以下に説明する。
【実施例】
【００１１】
本考案に係る包装容器の開封構造の実施例を説明する図である。この実施例では、本発明に係る包装容器の開封構造が適用される容器１は、即席麺の容器であるが、その他、例えば、スーパーマーケット、コンビニエンスストア、各種食品店等で販売されている弁当箱、惣菜、菓子等の各種食品、薬品、その他の物品の容器等にも適用可能である。容器の平面形状も、この実施例のように円形だけでなく、楕円形、矩形、その他の形状でもよい。
【００１２】
容器１は、容器本体２及び蓋３とから成り、蓋３は容器本体２に、例えば、接着剤による接着、熱融着、又は嵌合等の手段により取り付けられている。そして、蓋３も含めて容器１の全体を覆うように、外側から樹脂フィルム等で形成されている外装４がシュリンク被着され、容器１を密封するように包装される。
【００１３】
外装４が容器１にシュリンク被着される際に、外装４は、容器１の外周面５に外周方向に沿って巻き付けられてからシュリンクされる。この場合、容器１の外周面５に巻き付けられる外装４の始端部６の上に、任意の重なり幅ｗを以て外装４の終端部７が重なるように巻き付けられている。これにより、任意の重なり幅ｗを以って外装４の始端部６と終端部７の重なり部８が形成されている。
【００１４】
このような包装容器１において、開封帯９が外装４の内面に接着剤による接着又は熱融着されており、外装４が容器１に被着されると、開封帯９は、図１（ａ）、（ｂ）に示すように、蓋３に比較的近い容器本体２の上部の位置において、その外周面５に接してほぼ１周、囲うように取り付けられる。
【００１５】
開封帯９は、ナイロンポリエチレンラミネート（ナイロンにポリエチレンをラミネートした多層フィルムをいい、通称、ナイロンポリと略して呼んでいるもの）、ポリエチレンフィルム、ポリプロピレンフィルム、ポリエステルフィルム、ポリビニルアルコール（通称、ＰＶＡ）フィルム、酢酸ビニル共重合体（通称、ＥＶＡ）フィルム、ナイロンフィルム、セロファン等の樹脂フィルムで構成されている。
【００１６】
特に、開封帯９は、外装４に接着剤で接着する場合は、ポリエステルやセロファン系の材料で形成し、熱融着する場合は、ナイロンポリ、ポリエチレン、ポリオレフィンナイロン等の樹脂材料で形成すると良い。
【００１７】
開封帯９は、外装４の内面に接着されているので、開封帯９の内端部１０（外装４の始端部６に近い一端部）は、容器１の外周面５に当接し外側には露出していない。しかし、開封帯９の外端部１１（外装４の終端部７に近い他端部）は、図２（ａ）、（ｂ）に示すように、外装４の終端縁１２から外周方向に延び出ており、開封帯９の開封摘み１３を構成している。
【００１８】
開封帯９の外端部１１が延び出す開封帯９の両側方の位置であって、開封帯９を挟むように、外装４には、図２（ａ）に示すように、その終端縁１２から外周方向に切り込み１４が形成されている。図２（ａ）に示す切り込み１４の形状は、直線溝であるが、この切り込み１４の形状は、その他、図３に示すようにいろいろな形状がある。
【００１９】
図３（ａ）は、切り込み１４が、三角溝を入れた形状である。図３（ｂ）は、切り込み１４が、Ｖ溝を入れた形状である。図３（ｃ）は、切り込み１４が、Ｕ溝を入れた形状である。図３（ｄ）は、切り込み１４が、２つの湾曲の交差溝を入れた形状である。図３（ｅ）は、切り込み１４が、両側の切り込み１４が互いに幅方向に連続してなるハット形溝を入れた形状である。
【００２０】
（作用）
以上の構成から成る実施例の包装容器１を開封する場合は、開封摘み１３を外側に向けて（巻き付けられた開封帯９を容器本体２から剥がすように外側に向けて）引っ張る。このように開封帯９を引っ張ると、外装４も同時に外側に引っ張られる。すると、外装４は、切り込み１４が形成されており破断し易いので、切り込み１４から破断を開始する。従って、包装容器１の外装４を弱い力でも、簡単に破断し、開封することができる。
【００２１】
以上、本考案に係る包装容器の開封構造の最良の形態を実施例に基づいて説明したが、本考案は特にこのような実施例に限定されることなく、実用新案登録請求の範囲記載の技術的事項の範囲内でいろいろな実施例があることはいうまでもない。
【産業上の利用可能性】
【００２２】
本考案に係る包装容器の開封構造は、店頭で販売される弁当箱、即席麺、菓子等の食品の容器だけでなく、薬品、その他各種の物品の容器にも適用可能である。
【図面の簡単な説明】
【００２３】
【図１】本考案の実施例を説明する図であり、（ａ）は本考案の開封構造の適用される包装容器の斜視図であり、（ｂ）は本考案の要部構造を示す斜視図である。
【図２】（ａ）、（ｂ）は、本考案の実施例の包装容器の開封構造を示す平面図及び断面図である。
【図３】（ａ）〜（ｅ）は、本考案の包装容器の開封構造における切り込みのいろいろな実施態様を説明する図である。
【符号の説明】
【００２４】
１  容器                     
２  容器本体                
３  蓋                      
４  外装                    
５  容器の外周面            
６  外装の始端部            
７  外装の終端部            
８  重なり部                
９  開封帯                  
１０  開封帯の内端部           
１１  開封帯の外端部
１２  外装の終端縁         
１３  開封帯の開封摘み         
１４  切り込み                      
ｗ  任意の重なり幅             
【図１】
0003137280.tif 000003
【図２】
0003137280.tif 000004
【図３】
0003137280.tif 000005